(57)【特許請求の範囲】
【請求項１】
内容物が収容される有底筒状の容器本体と、
該容器本体の口部に着脱自在に螺着されるキャップと、
を備える容器であって、
前記口部には、容器軸回りに沿う周方向に延びる弾性係合片が、前記口部との間に径方向の隙間を設けた状態で、径方向の外側に向けて突設され、
前記キャップには、前記弾性係合片のうち、前記口部に連結された部分から周方向に離れた部分に、該弾性係合片に対して前記容器本体の底部側から係合する係合突部が、径方向の内側に向けて突設されていることを特徴とする容器。
【請求項２】
請求項１記載の容器であって、
前記弾性係合片のうち、周方向の一端部が前記口部に連結され、かつ該一端部を除く周方向に沿う他の部分は前記口部から径方向の外側に離間するとともに、周方向の他端部の外周面は、前記一端部の外周面よりも、容器軸から径方向に離れており、
前記係合突部は、周方向に沿って延在し、かつ前記弾性係合片における周方向の他端部に係合していることを特徴とする容器。
【請求項３】
請求項１または２に記載の容器であって、
前記口部に形成された雄ねじ部、および前記キャップに形成された雌ねじ部はそれぞれ、多条ねじであることを特徴とする容器。
【請求項４】
請求項１から３のいずれか１項に記載の容器であって、
前記弾性係合片のうち、前記キャップの前記口部に対する周方向に沿う締め込み方向の後側の後端部が前記口部に連結されていることを特徴とする容器。
【発明の詳細な説明】
【技術分野】
【０００１】
本発明は、容器に関するものである。
【背景技術】
【０００２】
従来から、例えば下記特許文献１に示されるように、内容物が収容される有底筒状の容器本体と、該容器本体の口部に着脱自在に螺着されるキャップと、を備える容器が知られている。
【先行技術文献】
【特許文献】
【０００３】
【特許文献１】特開２００８−１６４０５７号公報
【発明の概要】
【発明が解決しようとする課題】
【０００４】
しかしながら、前記従来の容器では、キャップが口部に対して緩むことを抑え、かつ優れた開閉操作性を具備させることに改善の余地があった。
【０００５】
本発明は、このような事情を考慮してなされたもので、キャップが口部に対して緩むことを抑え、かつ優れた開閉操作性を具備させることができる容器を提供することを目的とする。
【課題を解決するための手段】
【０００６】
上記課題を解決して、このような目的を達成するために、本発明の容器は、内容物が収容される有底筒状の容器本体と、該容器本体の口部に着脱自在に螺着されるキャップと、を備える容器であって、前記口部には、容器軸回りに沿う周方向に延びる弾性係合片が、前記口部との間に径方向の隙間を設けた状態で、径方向の外側に向けて突設され、前記キャップには、前記弾性係合片のうち、前記口部に連結された部分から周方向に離れた部分に、該弾性係合片に対して前記容器本体の底部側から係合する係合突部が、径方向の内側に向けて突設されていることを特徴とする。
【０００７】
この発明によれば、キャップの口部に対する着脱時に、係合突部が、弾性係合片に摺接して該弾性係合片を径方向の内側に向けて弾性変形させつつ、容器軸方向に移動することによって、係合突部と弾性係合片とが互いに係合したりその係合が解除されたりする。
そして、係合突部が弾性係合片に対して容器本体の底部側から係合していると、キャップが口部に対して緩むのを抑えることができる。
しかも、係合突部が、弾性係合片のうち、口部に連結されて弾性変形し難い部分から、周方向に離れた部分に係合しているので、係合突部が弾性係合片を容器本体の底部側に越えてキャップの口部に対する装着が完了するとき、並びにキャップを口部から離脱させる初動段階、つまり係合突部が弾性係合片に容器本体の底部側から乗り上がるときに、弾性係合片が係合突部によって弾性変形させられ難くなるのを抑制することが可能になる。従って、前述の装着が完了するとき、並びに離脱の初動段階において、キャップが容器本体に対して固く動き難くなるのを抑制することが可能になり、優れた開閉操作性を具備させることができる。
【０００８】
ここで、前記弾性係合片のうち、周方向の一端部が前記口部に連結され、かつ該一端部を除く周方向に沿う他の部分は前記口部から径方向の外側に離間するとともに、周方向の他端部の外周面は、前記一端部の外周面よりも、容器軸から径方向に離れており、前記係合突部は、周方向に沿って延在し、かつ前記弾性係合片における周方向の他端部に係合してもよい。
【０００９】
この場合、係合突部が周方向に沿って延在しているので、係合突部を弾性係合片における周方向の他端部に容易に係合させることができる。
しかも、弾性係合片のうち、周方向の他端部の外周面が、口部に連結された周方向の一端部の外周面よりも、容器軸から径方向に離れているので、係合突部が周方向に沿って延在しているにもかかわらず、この係合突部を、弾性係合片のうち、前記一端部に係合させず前記他端部に係合させることを容易に行うことができる。
さらにこのように、弾性係合片のうち、前記他端部の外周面が前記一端部の外周面より容器軸から径方向に離れていることから、キャップの口部に対する着脱時に、係合突部が、弾性係合片のうち、口部に連結されて弾性変形し難い前記一端部に摺接するのを抑制することができる。
また、弾性係合片のうち、周方向の一端部が口部に連結され、かつ該一端部を除く周方向に沿う他の部分は口部から径方向の外側に離間していて、係合突部が、弾性係合片における周方向の他端部に係合しているので、キャップの着脱時に、係合突部により弾性係合片を抵抗少なく容易に弾性変形させることができる。
【００１０】
また、前記口部に形成された雄ねじ部、および前記キャップに形成された雌ねじ部はそれぞれ、多条ねじとしてもよい。
【００１１】
この場合、雄ねじ部および雌ねじ部が多条ねじとされ、キャップを口部に対して着脱する際のキャップおよび容器本体の相対的な周方向の移動量が一条ねじ等と比べて少ないので、容器の開閉操作性を向上させることができる。
しかも、前述したように、係合突部が弾性係合片に係合しているので、雄ねじ部および雌ねじ部を多条ねじとしたことで、キャップが口部に対して緩み易くなるのを防ぐことができる。
【００１２】
さらに、前記弾性係合片のうち、前記キャップの前記口部に対する周方向に沿う締め込み方向の後側の後端部が前記口部に連結されてもよい。
【００１３】
この場合、弾性係合片のうち前記締め込み方向の後端部が口部に連結されているので、キャップを口部に対して締め込む過程で、キャップの内周面側が弾性係合片の前記後端部にたとえ当接したとしても、この弾性係合片が前記後端部回りに径方向の内側に向けて回動するように変形し易くなり、係合突部を弾性係合片に引っかかり少なく摺接させることができる。
【発明の効果】
【００１４】
本発明によれば、キャップが口部に対して緩むことを抑え、かつ優れた開閉操作性を具備させることができる。
【図面の簡単な説明】
【００１５】
【図１】本発明に係る一実施形態として示した容器の一部断面側面図である。
【図２】図１に示す容器のＸ−Ｘ線矢視断面図である。
【図３】図２に示す容器のＹ−Ｙ線矢視断面図である。
【発明を実施するための形態】
【００１６】
以下、図面を参照し、本発明の一実施形態に係る容器を説明する。
容器１は、図１に示すように、内容物が収容される有底筒状の容器本体１１と、容器本体１１の口部１２に着脱自在に螺着されるキャップ１３と、を備えている。
キャップ１３は有頂筒状に形成され、このキャップ１３および容器本体１１は共通軸と同軸に配設されている。以下、この共通軸を容器軸Ｏといい、この容器軸Ｏ方向に沿ってキャップ１３側を上側、容器本体１１の底部側を下側といい、容器軸Ｏに直交する方向を径方向、容器軸Ｏ回りに周回する方向を周方向という。
【００１７】
容器本体１１は、有底円筒状の胴部１４と、胴部１４の上端に上方に向けて突設された円筒状の口部１２と、胴部１４を径方向の外側から囲繞する円筒状の外筒部１６と、を備えている。
口部１２の外周面には、多条ねじである雄ねじ部が形成されている。雄ねじ部は、径方向の外側に向けて突設された複数の第１突条部１７を有している。これらの第１突条部１７は、周方向に間隔をあけて配設されており、周方向の一方側から他方側に向かうに従い漸次、上方から下方に向けて延在している。なお本実施形態では、第１突条部１７は、上方から下方に向かうに従い、この容器１の上面視で時計回りに延在している。すなわち、キャップ１３の口部１２に対する周方向に沿う締め込み方向Ａは、この容器１の上面視で時計回りの方向となっている。
口部１２のうち、上端部１８は、該上端部１８と胴部１４との間に位置する基部１９より内径が大きく、上端部１８の内周面と基部１９の内周面とは、図２に示されるように、段部２１を介して連結されている。なお図示の例では、前記雄ねじ部は、基部１９の外周面に形成されている。
【００１８】
口部１２の上端部１８の内周面には、径方向の外側に向けて陥没する係合溝２２が全周にわたって形成されている。
段部２１は、径方向の外側から内側に向かうに従って漸次下方に向かって延びるテーパ状をなしている。
外筒部１６の上端部は、平面視で円環板状の接続壁部２３を介して胴部１４と口部１２との接続部分に連結されており、外筒部１６の下端は、図１に示されるように、胴部１４の底面よりも下方に突出している。
【００１９】
キャップ１３は、平面視で円板状の天壁部２５と、天壁部２５の外周縁から下方に向けて突設された円筒状の周壁部２６と、周壁部２６の径方向の内側に配設された円筒状のシール筒２７と、を備えている。天壁部２５、周壁部２６およびシール筒２７は容器軸Ｏと同軸に配設されている。
周壁部２６の内周面には、口部１２の雄ねじ部に螺合する多条ねじである雌ねじ部が形成されている。この雌ねじ部は、径方向の内側に向けて突設されるとともに、周方向に間隔をあけて配置された複数の第２突条部２８を有している。
【００２０】
シール筒２７は、口部１２の上端部１８内に着脱自在に嵌合されている。
シール筒２７の下端部には、図２に示されるように、外径が下端から上方に向かうに従って漸次大きくなるテーパ部２９が形成されている。
シール筒２７においてテーパ部２９よりも上方に位置する部分には、口部１２の上端部１８に形成された係合溝２２に係合する係合部３１が、径方向の外側に向けて突設されるとともに、全周にわたって連続して延設されている。なお、係合部３１は、周方向に間隔をあけて複数配設されてもよい。
シール筒２７において係合部３１とテーパ部２９との間に位置する部分が、口部１２の内周面のうち、基部１９の上端部から段部２１にわたる部分に圧接している。なお図示の例では、テーパ部２９は段部２１より下方に位置している。また、キャップ１３の天壁部２５において、シール筒２７より径方向の外側に位置する部分に、口部１２の上端開口縁に密接するシール突起３２が下方に向けて突設されている。
【００２１】
そして、本実施形態では、容器本体１１の口部１２に、周方向に延びる弾性係合片３５が、口部１２との間に径方向の隙間を設けた状態で、径方向の外側に向けて突設されている。弾性係合片３５は、弾性変形自在に形成されている。
図３に示されるように、弾性係合片３５のうち、前記締め込み方向Ａの後側の後端部（周方向の一端部）３６が口部１２に連結され、この後端部３６を除く周方向に沿う他の部分は口部１２から径方向の外側に離間している。
【００２２】
弾性係合片３５の表面のうち、前記締め込み方向Ａの後側を向く後端面３５ａは、径方向の内側から外側に向かうに従い漸次、前記締め込み方向Ａの前側に向けて延在している。また、弾性係合片３５の後端部３６における外周面と、前記後端面３５ａと、は突曲面部を介して連結されている。
なお、弾性係合片３５は、図１および図２に示されるように、口部１２の下端部の外周面に配設されている。弾性係合片３５は、前述した接続壁部２３より上方に位置している。接続壁部２３において、弾性係合片３５の内周面と、口部１２の外周面と、の間の隙間に、容器軸Ｏ方向で対向する部分には、その周方向の全長にわたって容器軸Ｏ方向の貫通孔２３ａが形成されている。
【００２３】
弾性係合片３５の外周面には、その上端から下方に向かうに従い漸次、径方向の厚さを厚くするテーパ面３５ｂが形成されている。図示の例では、弾性係合片３５のうち、上部の外周面がテーパ面３５ｂとされ、下部の外周面が、容器軸Ｏ方向に延びる軸直面３５ｃとなっている。テーパ面３５ｂおよび軸直面３５ｃは、図３に示されるように、弾性係合片３５の周方向の全長にわたって形成されている。弾性係合片３５における軸直面３５ｃと下面３５ｄとは、図２に示されるように、角部を介して連なっている。
【００２４】
さらに本実施形態では、図３に示されるように、弾性係合片３５のうち、前記締め込み方向Ａの前側の前端部（周方向の他端部）３７の外周面が、後端部３６の外周面よりも、容器軸Ｏから径方向に離れている。図示の例では、弾性係合片３５の外周面は、後端部３６側から前端部３７側に向かうに従い漸次、容器軸Ｏから径方向に離れている。
ここで、図１および図２に示されるように、口部１２の基部１９において、前記雄ねじ部より下方に位置する下端部の外周面には、周方向に延びる周溝１２ａが形成されており、この周溝１２ａにおける径方向の内端面に、弾性係合片３５の後端部３６が連結されている。図示の例では、弾性係合片３５のうち、少なくとも前端部３７は、キャップ１３の口部１２に対する着脱の別を問わず常に、口部１２の下端部のうち、周溝１２ａの非形成部分の外周面よりも径方向の外側に突出している。
【００２５】
キャップ１３には、弾性係合片３５のうち、口部１２に連結された後端部３６から周方向に離れた部分に、該弾性係合片３５に対して下方から係合する係合突部３８が、径方向の内側に向けて突設されている。この係合突部３８は、周方向に沿って延在し、かつ弾性係合片３５の前端部３７に係合している。
図示の例では、係合突部３８は、キャップ１３の内周面に全周にわたって連続して延在し、かつ弾性係合片３５のうち、少なくともその周方向の中央部より前記締め込み方向Ａの前側に位置する部分の全域にわたって係合している。また、係合突部３８における径方向の内端と、容器軸Ｏと、の径方向の距離は、全周にわたって同等になっている。
【００２６】
そして、キャップ１３の口部１２に対する着脱時に、係合突部３８が、弾性係合片３５に摺接して該弾性係合片３５を径方向の内側に向けて弾性変形させつつ、容器軸Ｏ方向に移動することによって、係合突部３８と弾性係合片３５とが互いに係合したりこの係合が解除されたりする。
【００２７】
具体的には、キャップ１３を口部１２から離脱するときには、係合突部３８が、弾性係合片３５を径方向の内側に向けて弾性変形させながら、弾性係合片３５の前記角部を上方に乗り越えて軸直面３５ｃ上に乗り上がり、係合突部３８と弾性係合片３５との係合が解除される。その後、係合突部３８を弾性係合片３５の外周面に摺接させつつ、キャップ１３を口部１２に対して上方に移動させ、キャップ１３を口部１２から離脱する。
一方、キャップ１３を口部１２に装着する際には、係合突部３８が、弾性係合片３５の外周面に摺接し、弾性係合片３５を径方向の内側に向けて弾性変形させつつ、下方に移動し、この弾性係合片３５を下方に越えたときに、弾性係合片３５が径方向の外側に向けて復元変形することによって、係合突部３８が、弾性係合片３５に対して下方から係合する。
なお、キャップ１３および口部１２が容器軸Ｏと同軸に位置している状態では、キャップ１３が口部１２に対して容器軸Ｏ方向に移動する際、係合突部３８は、弾性係合片３５のうち、後端部３６には当接せず、後端部３６よりも前記締め込み方向Ａの前側に位置する部分にのみ当接する。
【００２８】
以上説明したように、本実施形態による容器１によれば、キャップ１３の係合突部３８が口部１２の弾性係合片３５に対して下方から係合しているので、キャップ１３が口部１２に対して緩むのを抑えることができる。
しかも、係合突部３８が、弾性係合片３５のうち、口部１２に連結されて弾性変形し難い後端部３６から、前記締め込み方向Ａの前側に離れた部分に係合しているので、係合突部３８が弾性係合片３５を下方に越えてキャップ１３の口部１２に対する装着が完了するとき、並びにキャップ１３を口部１２から離脱させる初動段階、つまり係合突部３８が弾性係合片３５に下方から乗り上がるときに、弾性係合片３５が係合突部３８によって弾性変形させられ難くなるのを抑制することが可能になる。従って、前述の装着が完了するとき、並びに離脱の初動段階において、キャップ１３が容器本体１１に対して固く動き難くなるのを抑制することが可能になり、優れた開閉操作性を具備させることができる。
【００２９】
また、係合突部３８が周方向に沿って延在しているので、係合突部３８を弾性係合片３５の前端部３７に容易に係合させることができる。
しかも、弾性係合片３５のうち、前端部３７の外周面が、口部１２に連結された後端部３６の外周面よりも、容器軸Ｏから径方向に離れているので、係合突部３８が周方向に沿って延在しているにもかかわらず、この係合突部３８を、弾性係合片３５のうち、後端部３６に係合させず前端部３７に係合させることを容易に行うことができる。
【００３０】
さらにこのように、弾性係合片３５のうち、前端部３７の外周面が後端部３６の外周面より容器軸Ｏから径方向に離れていることから、キャップ１３の口部１２に対する着脱時に、係合突部３８が、弾性係合片３５のうち、口部１２に連結されて弾性変形し難い後端部３６に摺接するのを抑制することができる。
また、弾性係合片３５のうち、後端部３６が口部１２に連結され、かつ後端部３６を除く周方向に沿う他の部分は口部１２から径方向の外側に離間していて、係合突部３８が、弾性係合片３５の前端部３７に係合しているので、キャップ１３の着脱時に、係合突部３８により弾性係合片３５を抵抗少なく容易に弾性変形させることができる。
【００３１】
さらに、雄ねじ部および雌ねじ部が多条ねじとされ、キャップ１３を口部１２に対して着脱する際のキャップ１３および容器本体１１の相対的な周方向の移動量が一条ねじ等と比べて少ないので、容器１の開閉操作性を向上させることができる。
しかも、前述したように、係合突部３８が弾性係合片３５に係合しているので、雄ねじ部および雌ねじ部を多条ねじとしたことで、キャップ１３が口部１２に対して緩み易くなるのを防ぐことができる。
【００３２】
また、弾性係合片３５のうち前記締め込み方向Ａの後端部３６が口部１２に連結されているので、キャップ１３を口部１２に対して締め込む過程で、キャップ１３の内周面側が弾性係合片３５の後端部３６にたとえ当接したとしても、この弾性係合片３５が後端部３６回りに径方向の内側に向けて回動するように変形し易くなり、係合突部３８を弾性係合片３５に引っかかり少なく摺接させることができる。
【００３３】
さらに本実施形態では、弾性係合片３５における上部の外周面がテーパ面３５ｂとなっているので、キャップ１３を口部１２に装着する際に、係合突部３８が、弾性係合片３５に引っかかり少なく摺接し始めることとなり、キャップ１３を口部１２に容易に装着することができる。
また、弾性係合片３５における軸直面３５ｃと下面３５ｄとが角部を介して連なっているので、例えば、不意に加えられた外力や、容器の内圧が上昇する等しても、係合突部３８が、前記角部を上方に越えて弾性係合片３５の外周面上に乗り上がるのを抑制することができる。
さらに、弾性係合片３５の外周面を、キャップ１３の内周面から径方向の内側に離間するように構成した場合には、キャップ１３を口部１２に着脱する際に要する力を低く抑えることが可能になり、開閉操作性をより一層確実に向上させることができる。
【００３４】
本発明は上記した実施の形態に限定されるものではなく、その趣旨を逸脱しない範囲で適宜変更可能である。
【００３５】
例えば、前記実施形態では、弾性係合片３５のうちその後端部３６のみを口部１２に連結したが、弾性係合片３５のうち口部１２に連結する部分は、前端部３７のみでもよいし、前端部３７および後端部３６の双方でもよいし、前端部３７と後端部３６との間に位置する部分でもよい。
口部１２の雄ねじ部およびキャップ１３の雌ねじ部をそれぞれ多条ねじにしたが、これに限らず例えば一条ねじ等にしてもよい。
係合突部３８は、前記実施形態に限らず例えば、周方向に断続的に延在させてもよいし、点状に１つだけ配設してもよいし、その径方向の内端と容器軸Ｏとの径方向の距離を、周方向に沿う位置ごとで異ならせてもよい。
弾性係合片３５の外周面と容器軸Ｏとの径方向の距離は、周方向の全長にわたって同等にしてもよいし、弾性係合片３５のうち前端部３７のみを他の部分より径方向の外側に突出させてもよい。
弾性係合片３５の外周面に、テーパ面３５ｂおよび軸直面３５ｃのうちのいずれか一方を形成してもよいし、弾性係合片３５の外周面はキャップ１３の内周面に当接させてもよい。
弾性係合片３５を配設する口部１２における容器軸Ｏ方向に沿う位置は、前記実施形態に限らず適宜変更してもよい。
【００３６】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３７】
キャップが口部に対して緩むことを抑え、かつ優れた開閉操作性を具備させることができる。
【符号の説明】
【００３８】
１  容器
１１  容器本体
１２  口部
１３  キャップ
３５  弾性係合片
３６  後端部（周方向の一端部）
３７  前端部（周方向の他端部）
３８  係合突部
Ａ  締め込み方向
Ｏ  容器軸
【図１】
0005806954.tif 000002
【図２】
0005806954.tif 000003
【図３】
0005806954.tif 000004